(57)【特許請求の範囲】
【請求項１】
糞便をモニターできるスマートトイレであって、便器、便器蓋、伸縮可能昇降装置、糞便サンプル採集装置、糞便検体プレ処理装置、糞便サンプル検知分析装置、伸縮可能照明撮影装置、スマートターミナルを有し、
前記伸縮可能昇降装置、糞便サンプル採集装置、糞便検体プレ処理装置、糞便サンプル検知分析装置はすべて、便器本体の後側、吸水管道上方の空間内に取り付け、
前記便器蓋は、フリップ式便蓋、フリップ式便座とスマートコンソールを有し、
前記フリップ式便蓋、フリップ式便座の一端は、便器上にヒンジ接続され、スマートコンソール内には、使用者身分識別システムを設置し、
前記伸縮可能昇降装置、糞便サンプル採集装置、糞便検体プレ処理装置、糞便サンプル検知分析装置はすべて、データ線を通して、便器蓋スマートコンソールと連接し、
前記伸縮可能照明撮影装置は、フリップ式便座後側に取り付けられ、
前記スマートターミナルは、無線伝送受信データプロセッサーを通して、データを伝送し、分析判読を行い、
前記伸縮可能昇降装置は、トレー、伸縮機構、電子計量計を有し、
前記トレーは、電子計量計頂部に取り付け、電子計量計は、伸縮機構の外端に取り付け、伸縮機構の内端は、便器本体後側の空間内に固定し、トレーを取り付ける伸縮機構外端は、便器本体後壁上の開閉可能な孔を通して、伸び出し、便器水たまり残留水平面上に至り、
前記糞便サンプル採集装置は、伸縮可能連接アーム、センサーを有する中空半円形管を有し、
前記中空半円形管は、伸縮可能連接アームの前端に取り付けられ、しかも中空半円形管は、伸縮可能昇降装置中トレー上方に位置し、伸縮可能連接アームの後端は、便器本体後側の空間内に固定され、
前記糞便検体プレ処理装置は、サンプル容器、撹拌器、注水管を有し、
前記サンプル容器は、糞便サンプル採集装置の中空半円形管移動ルートの末端に位置し、糞便の受け取りの便を図り、前記撹拌器の撹拌ブレードは、サンプル容器内に回転可能なように取り付けられ、注水管の一端は、サンプル容器内に進入し、注水管の反対端は、水源に連接し、
前記糞便サンプル検知分析装置は、データプロセッサー、統合化テスト試験紙フィルム、スペクトラルスキャンアナライザー、ロボットアーム、試験紙フィルム保存バケツ、廃棄物バケツを有し、
前記データプロセッサー、統合化テスト試験紙フィルム、スペクトラルスキャンアナライザー、試験紙フィルム保存バケツ、廃棄物バケツ、ロボットアームはすべて、便器本体後側の空間内に取り付けられ、ロボットアームの第一作業位置には、統合化テスト試験紙フィルムの試験紙フィルム保存バケツをセットし、ロボットアームの第二作業位置は、糞便検体プレ処理装置のサンプル容器で、ロボットアームの第三作業位置は、スペクトラルスキャンアナライザーで、ロボットアームの第四作業位置は、廃棄物バケツで、ロボットアームは、前記４個の作業位置の間を移動し、
前記スペクトラルスキャンアナライザーは、データ線を通して、データプロセッサーと連接し、データプロセッサーに、スキャン画像を提供する
ことを特徴とする、
糞便をモニターできるスマートトイレ。
【請求項２】
前記統合化テスト試験紙フィルムが、ｐＨ、潜血、エクトイン、ステルコビリノーゲン、ビリルビン、及びアディポソーム、並びに、デンプン又はデキストリン、を検知する試験紙を有することを特徴とする、請求項１に記載の糞便をモニターできるスマートトイレ。
【請求項３】
前記糞便をモニターできるスマートトイレは、糞便サンプル自動清掃装置をさらに有し、
前記糞便サンプル自動清掃装置は、便器本体後側、吸水管道上方空間内に取り付け、糞便サンプル自動清掃装置は、データ線を通して、便器蓋スマートコンソールと連接し、パイプを通して、便器貯水槽と連接することを特徴とする、
請求項１に記載の糞便をモニターできるスマートトイレ。
【発明の詳細な説明】
【技術分野】
【０００１】
本発明は人体の健康検知設備に関し、特に排便行為習慣、糞便重量及び性状外観、寄生虫或いはその卵の有無、糞便排泄物中の血液成分、ｐＨ、胆汁成分、食物成分をモニターする糞便をモニターできるスマートトイレに関する。
【背景技術】
【０００２】
悪性腫瘍の発生率は世界的に高まり続けている。
我が国では、特に消化管腫瘍の発病率及び死亡率が、世界の平均水準より高い。
「全国腫瘍登記センター」の２０１３年調査では、我が国で毎年新しく発見される癌の症例は３００万を超え、中でも消化管腫瘍は全ての癌発病率の４３．３％を占める。
【０００３】
消化管腫瘍の初期症状は、特異性がなく、症状がはっきりする頃には既に中、末期ということがある。
初期の消化管腫瘍は、治癒率が高いが、中、末期は死亡率が高く合併症も多く、ＱＯＬも低く、医療費も高い。
中末期腫瘍の死亡率を引き下げるための最良の方法は、早期発見早期治療である。
【０００４】
消化管初期腫瘍の発見には、消化管腫瘍の検査が欠かせない。
世界各国で、消化管腫瘍の発見に大量の資源が投入され、検査が推奨され、初期腫瘍の治癒率が上がっている。
消化管腫瘍の初期診断率は、米国で２０％、日本で１２．５％だが、中国三甲医院では１０％に満たない。
【０００５】
消化管腫瘍の診断方法には（１）糞便潜血検査；（２）胃／腸内視鏡検査；（３）分子生物学技術がある。
糞便潜血検査は、傷がつかず、侵襲性がなく、簡単で、精度が高い。
胃／腸内視鏡検査は、信頼性は高いが、侵襲性／傷がつく操作があり、特殊な設備が必要で、大人数に対して大規模に行いにくい。
分子生物学検査は、自動化、大量検査が可能だが、採血が必要で、また病院の実験室でなければ行えない。
消化管腫瘍糞便潜血の陽性率は９５％に達し、消化管腫瘍スクリーニング検査の最適な指標である。
【０００６】
排便習慣と胃腸機能には、密接な関係がある。
糞便検査では、消化管に炎症或いは潰瘍出血があるかないかを知ることができ、胃腸、膵臓、肝胆システムの機能、腸内細菌が乱れていないかどうかを間接的に判断でき、腸管伝染病の診断を助けることもできる。
【０００７】
便器は、消化管伝染性疾病を劇的に減らした、人類史上、最も偉大な発明の一つである。
便器を、スマート化したマイクロ実験室とできれば、糞便中のカギとなる成分を日常的に検査することで、家族の消化管に腫瘍、潰瘍、腸管機能の乱れ、胆道閉塞、溶血性疾病、寄生虫感染がないかどうかを検知することができる。
ＩＯＴ技術の進歩に従い、便器は健康をモニターできる重要な器具として、高い関心を集めている。
【０００８】
糞便検査の臨床における価値は大きいが、多くの患者が糞便を採取し検査に持ち込むのに協力的とは言えない。
また、医療機関では、糞便検査は多くが人手に頼っているが、糞便サンプルが汚く臭いとして、検査人員の雇用が困難で、また検査人員が作業に集中しにくく、糞便サンプル中の価値ある情報を見逃してしまう恐れもある。
【発明の概要】
【発明が解決しようとする課題】
【０００９】
前記先行技術には、糞便を採取し検査に持ち込むのに患者が協力的とは言えず、医療機関の糞便検査で糞便サンプルが汚く臭いとして、検査人員の雇用が困難で、また検査人員が作業に集中しにくく糞便サンプル中の価値ある情報を見逃してしまう欠点がある。
【課題を解決するための手段】
【００１０】
本発明は、化学検査人員の作業条件を改善する糞便をモニターできるスマートトイレで、使用者の排便行為特徴、消化管腫瘍、潰瘍、腸管機能の乱れ、胆道閉塞、溶血性疾病、寄生虫感染等を日常的にモニターでき、消化管の健康状態を評価し、使用者に健康或いは受診の提案をする糞便をモニターできるスマートトイレに関する。
【００１１】
本発明による糞便をモニターできるスマートトイレは、便器、便器蓋、伸縮可能昇降装置、糞便サンプル採集装置、糞便検体プレ処理装置、糞便サンプル検知分析装置、伸縮可能照明撮影装置、スマートターミナルを有する。
【００１２】
該伸縮可能昇降装置、糞便サンプル採集装置、糞便検体プレ処理装置、糞便サンプル検知分析装置はすべて、便器本体の後側、吸水管道上方の空間内に取り付ける。
【００１３】
該便器蓋は、フリップ式便蓋、フリップ式便座とスマートコンソールを有する。
該フリップ式便蓋、フリップ式便座の一端は、便器上にヒンジ接続され、スマートコンソール内には、使用者身分識別システムを設置する。
該伸縮可能昇降装置、糞便サンプル採集装置、糞便検体プレ処理装置、糞便サンプル検知分析装置はすべて、データ線を通して、便器蓋スマートコンソールと連接する。
【００１４】
該伸縮可能照明撮影装置は、フリップ式便座後側に取り付けられる。
【００１５】
該スマートターミナルは、無線伝送受信データプロセッサーを通して、データを伝送し、分析判読を行う。
【００１６】
該伸縮可能昇降装置は、トレー、伸縮機構、電子計量計を有し、該トレーは、電子計量計頂部に取り付ける。
電子計量計は、伸縮機構の外端に取り付ける。
伸縮機構の内端は、便器本体後側の空間内に固定する。
トレーを取り付ける伸縮機構外端は、便器本体後壁上の開閉可能な孔を通して、伸び出し、便器水たまり残留水平面上に至る。
【００１７】
該糞便サンプル採集装置は、伸縮可能連接アーム、センサーを有する中空半円形管を有し、該中空半円形管は、伸縮可能連接アームの前端に取り付けられ、しかも中空半円形管は、伸縮可能昇降装置中トレー上方に位置し、伸縮可能連接アームの後端は、便器本体後側の空間内に固定される。
【００１８】
該糞便検体プレ処理装置は、サンプル容器、撹拌器、注水管を有し、該サンプル容器は、糞便サンプル採集装置の中空半円形管移動ルートの末端に位置し、糞便の受け取りの便を図る。
該撹拌器の撹拌ブレードは、サンプル容器内に回転可能なように取り付けられる。
注水管の一端は、サンプル容器内に進入し、注水管の反対端は、水源に連接する。
【００１９】
該糞便サンプル検知分析装置は、データプロセッサー、統合化テスト試験紙フィルム、スペクトラルスキャンアナライザー、ロボットアーム、試験紙フィルム保存バケツ、廃棄物バケツを有し、該データプロセッサー、統合化テスト試験紙フィルム、スペクトラルスキャンアナライザー、試験紙フィルム保存バケツ、廃棄物バケツ、ロボットアームはすべて、便器本体後側の空間内に取り付けられる。
ロボットアームの第一作業位置には、統合化テスト試験紙フィルムの試験紙フィルム保存バケツをセットする。
ロボットアームの第二作業位置は、糞便検体プレ処理装置のサンプル容器である。
ロボットアームの第三作業位置は、スペクトラルスキャンアナライザーである。
ロボットアームの第四作業位置は、廃棄物バケツである。
ロボットアームは、該４個の作業位置の間を移動する。
該スペクトラルスキャンアナライザーは、データ線を通して、データプロセッサーと連接し、データプロセッサーに、スキャン画像を提供する。
【００２０】
該統合化テスト試験紙フィルムは、ｐＨ、潜血、エクトイン、ステルコビリノーゲン、ビリルビン、アディポソーム及びデンプン、又は、ｐＨ、潜血、エクトイン、ステルコビリノーゲン、ビリルビン、アディポソーム及びデキストリン、を検知する試験紙を有することが好ましい。
【００２１】
本発明は、糞便サンプル自動清掃装置をさらに有する。
該糞便サンプル自動清掃装置は、便器本体後側、吸水管道上方空間内に取り付け、糞便サンプル自動清掃装置は、データ線を通して、便器蓋スマートコンソールと連接し、パイプを通して、便器貯水槽と連接する。
【００２２】
上述の方案を採用後、本発明は糞便サンプル採集装置、サンプル容器、糞便検体プレ処理装置、糞便サンプル検知分析装置を有し、糞便サンプル採集装置を通して直接糞便サンプルを採集し、糞便検体プレ処理装置、糞便サンプル検知分析装置を通して、糞便に対して処理と分析を行い、使用者が消化管腫瘍、潰瘍、消化不良、下痢、腸内細菌の乱れ、胆道閉塞、溶血性疾病、腸管寄生虫感染等を患っていないかどうかの情報が得られ、糞便検査において快適で便利な施設を提供することで、糞便検査に対する患者の協力を得やすくする。
本発明は排便過程を全行程でモニターでき、臨床医の動態データ取得に有利で、同時に、糞便を検査に出す際の汚く臭いという不愉快な状況を回避でき、化学検査人員が糞便に触れなくとも、病人の糞便の一般性状検査、物理化学検査、顕微鏡検査を完成でき、化学検査人員の作業条件を極めて大きく改善でき、医療機関ユーザーに利便を提供できる。
【図面の簡単な説明】
【００２３】
【図１】本発明の外形図である。
【図２】本発明の断面図である。
【図３】本発明糞便サンプル検知分析装置の構造模式図である。
【図４】本発明第一種統合化テスト試験紙フィルムの模式図である。
【図５】本発明第二種統合化テスト試験紙フィルムの模式図である。
【図６】本発明スペクトラルスキャンアナライザーの模式図である。
【発明を実施するための形態】
【００２４】
（一実施形態）
図１、図２に示す通り、本発明による糞便をモニターできるスマートトイレは、便器１、便器蓋２、伸縮可能昇降装置３、糞便サンプル採集装置４、スマートターミナル５、糞便検体プレ処理装置６、糞便サンプル検知分析装置７、伸縮可能照明撮影装置８、糞便サンプル自動清掃装置９を有する。
【００２５】
便器１は、便器本体１１、吸水管道、貯水槽１３を有する。
伸縮可能昇降装置３、糞便サンプル採集装置４、糞便検体プレ処理装置６、糞便サンプル自動清掃装置９、糞便サンプル検知分析装置７はすべて、便器１便器本体１１の後側、吸水管道上方の空間内に取り付ける。
【００２６】
便器蓋２は、フリップ式便蓋２１、フリップ式便座２２、スマートコンソール２３を有する。
フリップ式便蓋２１、フリップ式便座２２の一端は共に、便器１の便器本体１１上にヒンジ接続する。
スマートコンソール２３内には、使用者身分識別システムを設置する。
伸縮可能昇降装置３、糞便サンプル採集装置４、糞便検体プレ処理装置６、糞便サンプル検知分析装置７はすべて、データ線を通して、便器蓋２スマートコンソール２３と連接する。
便器蓋２内には、ワイヤレスコントロール装置を設置し、これにより使用者は、スマートターミナルを通して、スマートコンソール２３の操作制御機能を実現する。
【００２７】
伸縮可能照明撮影装置８は、フリップ式便座２２後側に取り付けられる。
フリップ式便座２２後側には、伸縮可能照明、撮影装置を内蔵する。
【００２８】
スマートターミナル５は、無線伝送受信データプロセッサーを通して、データを伝送し、分析判読を行い、健康指導を提出し、専門の医療保健機関と共用する。
【００２９】
伸縮可能昇降装置３は、トレー３１、伸縮機構３２、電子計量計３３を有する。
トレー３１は、電子計量計３３頂部に取り付ける。
電子計量計３３は、伸縮機構３２の外端に取り付ける。
伸縮機構３２の内端は、便器１便器本体１１後側の空間内に固定する。
トレー３１を取り付ける伸縮機構３２外端は、便器本体１１後壁上の開閉可能な孔を通して、便器水たまり残留水平面上２ミリ位置へと伸び出る。
【００３０】
糞便サンプル採集装置４は、伸縮可能連接アーム４１、センサーを有する中空半円形管４２を有する。
中空半円形管４２は、伸縮可能連接アーム４１の前端に取り付けられ、しかも中空半円形管４２は、伸縮可能昇降装置３中トレー３１上方に位置し、糞便吸入／採取の便を図る。
伸縮可能連接アーム４１の後端は、便器１便器本体１１後側の空間内に固定される。
【００３１】
糞便検体プレ処理装置６は、サンプル容器６１、撹拌器６２、注水管６３を有する。
サンプル容器６１は、糞便サンプル採集装置４の中空半円形管４２移動ルートの末端に位置し、糞便の受け取りの便を図る。
撹拌器６２の撹拌ブレードは、サンプル容器６１内に回転可能なように取り付けられる。
注水管６３の一端は、サンプル容器６１内に進入し、注水管６３の反対端は、水源に連接する。
撹拌器６２の動力装置と、注水管の注水コントロール構造とは、連接する。
撹拌器６２は作業時に、糞便サンプルが均質であるか否かを感知し、不均質なら注水を起動し、糞便サンプルが均質なら、注水を停止し、撹拌を停止する。
【００３２】
糞便サンプル自動清掃装置９は、洗浄盤９１と洗浄撹拌機構９２を有する。
洗浄撹拌機構９２は、洗浄盤９１の上に設置する。
【００３３】
図２、図３に示す通り、糞便サンプル検知分析装置７は、データプロセッサー（図示なし）、統合化テスト試験紙フィルム７２、スペクトラルスキャンアナライザー７３、ロボットアーム７４、試験紙フィルム保存バケツ７５、廃棄物バケツ７６を有する。
データプロセッサー、統合化テスト試験紙フィルム７２、スペクトラルスキャンアナライザー７３、ロボットアーム７４、試験紙フィルム保存バケツ７５、廃棄物バケツ７６はすべて、便器１便器本体１１後側の空間内に取り付けられる。
ロボットアーム７４の第一作業位置には、統合化テスト試験紙フィルム７２の試験紙フィルム保存バケツ７５をセットする。
ロボットアーム７４の第二作業位置は、糞便検体プレ処理装置６のサンプル容器６１である。
ロボットアーム７４の第三作業位置は、スペクトラルスキャンアナライザー７３である。
ロボットアーム７４の第四作業位置は、廃棄物バケツ７６である。
ロボットアーム７４は、４個の作業位置の間を移動する。
スペクトラルスキャンアナライザー７３は、データ線を通して、データプロセッサーと連接し、データプロセッサーに、スキャン画像を提供する。
スペクトラルスキャンアナライザー７３は、検知試験紙が表示する色に対応して反応する多数のラスターを有する。
データプロセッサーは、検知データ保存、分析処理及び伝送部材を有する。
【００３４】
統合化テスト試験紙フィルム７２は、ｐＨ、潜血、エクトイン、ステルコビリノーゲン、ビリルビン、及びアディポソーム、並びに、デンプン、又は、デキストリン、を検知する試験紙を有する。
統合化テストシステムの試験紙フィルム７２は、ｐＨ、潜血、エクトイン、ステルコビリノーゲン、胆紅素、及びアディポソーム、並びに、デンプン、又は、デキストリン、を検知するが、これに限定されるものではない。
試験紙フィルムは、リボン状、或いは環状で、試験紙フィルムには、検知試剤を含まない陰性対照区を平行設置し、糞便そのものの色の結果に対する影響を排除する。
各項検知に必要な試剤は、一定の大きさの試験紙片にそれぞれ吸着される。
試験紙片は、順番に、硬質透明フィルムキャリアに粘着結合される。
糞便サンプルを検知すると、試験紙は、糞便のｐＨ値或いは関連する成分含量に対応し、色のタイプを表示し、或いは色の濃淡を示し、定量或いは半定量で結果を表示する。
【００３５】
糞便ｐＨ検知には、ｐＨ試験紙法を採用する。
潜血検知には、グアヤシルエステル顕色法或いはコロイド金免疫法を選択する。
エクトイン検知には、Ｓｃｈｍｉｄｔ気化高汞顕色法を採用する。
ステルコビリノーゲン検知には、Ｅｈｒｌｉｃｈ法を採用する。
ビリルビン検知には、Ｈａｒｒｉｓｏｎ法を採用する。
アディポソーム検知には、スーダンＩＩＩ顕色法を採用する。
デンプン或いはデキストリン検知試験紙には、ヨウ素顕色法を採用する。
各項検知に必要な試剤は、一定の大きさのろ紙片にそれぞれ吸着される。
ろ紙片は順番に、硬質透明フィルムキャリアに粘着結合される。
糞便サンプルを検知すると、試験紙は、糞便のｐＨ値或いは関連する成分含量に対応し、色のタイプを表示し、或いは色の濃淡を示し、定量或いは半定量で結果を表示する。
【００３６】
図１、図２に示す通り、糞便サンプル自動清掃装置９は、データ線を通して、便器蓋２スマートコンソール２３と連接し、パイプを通して、便器１貯水槽１３と連接する。
【００３７】
本発明の設計アイデア：
１．便器蓋２にスマートコンソール２３を設置することで、使用者は糞便スマートモニター機能を選択的に使用でき、或いは糞便モニター項目を選択的できる。スマートコンソール２３の身分識別システムは唯一性を有し、指紋、声紋、スキャンコード等を通して実現されるため、使用者が異なる便器を使用する、或いは同一便器を多数の人が使用する際の使用者の使用情況の記録に便利である。
２．便器蓋２後端の伸縮可能昇降装置３の照明により、伸縮可能照明撮影装置８は明晰な撮影が可能で、写真を通して糞便の外観、色を理解でき、ビデオ及び排便時間の記録を通して、排便頻度、スムーズ度、肛門周囲の靜脈曲張或いは肛裂があるかどうかを理解し、糞便血液の出処の判断を助ける。カメラのレンズは一定の倍率に拡大して撮影でき、糞便から、腸に寄生虫或いは寄生虫の卵がないかどうかを観察でき、糞便の顕微鏡検査の一部と置換できる。
３．便器１本体の伸縮可能昇降装置３トレー３１は作業時に、便器１本体キャビティ中後部に位置し、キャビティ残水池水面より２ミリ高いため、使用者の糞便を収集でき、トレー３１前側は丸まった係止板であるため、糞便が尿、便器本体キャビティの残水により汚染されることはない。トレー３１は同時に電子計量装置３３に連接し、排泄された糞便の重量を計量できる。
４.スマートコントロール検知箱体を、便器本体構造内或いは構造外、或いは便器蓋構造内に設置できる。
【００３８】
本発明の機能案例
機能案例Ｉ
排便行為モニターだけを選択した場合。
便器１本体後側の伸縮可能昇降装置３伸び出し、下方へ移動し、トレー３１はキャビティ残水池水面より２ミリ高く、使用者の糞便を採集し、同時に糞便の尿、キャビティ残水による汚染を回避できる。
トレーは電子計量装置３３である。
便器蓋２後端には、ＬＥＤランプ、撮影装置を設置し、ＬＥＤランプは適宜光線を提供し、明晰な画像を撮影でき、排便頻度、スムーズ程度を分析して記録し、排便時の肛門周囲の筋肉、粘膜等形態の変化を動態で理解でき、糞便中に寄生原虫やその卵がないかどうか、糞便に鮮血、膿血、粘液がないかどうか、及び排出の結合点時刻を動態で理解でき、糞便排出過程中の外形動態変化を理解でき、糞便排泄完成に必要な時間を計算できる。
排便終了後、トレー３１は排泄された糞便の重量を計量する。
便器の水を流すとトレー３１の洗浄を完成し、便器本体後キャビティに戻る。
糞便の重量、外観、排便時の肛門周囲の動態ビデオ、糞便排泄の動態ビデオ、排便用時等データは、使用者のスマートターミナル或いは他のストレージ装置に出力される。
【００３９】
機能案例ＩＩ
排便行為モニター＋糞便検査。
排便行為モニターは、機能案例Ｉと同様である。
排便が終了したら、糞便検査機能を選択する。
糞便潜血検査は、グアヤシルエステル顕色法を選択する。
便器１本体後側キャビティの糞便サンプル採集装置４は指令を受け、伸び出し、サンプルを約１５〜４５ｇ採集する。
糞便サンプルを連接するサンプル容器６１内に移し、サンプル容器６１内撹拌器６２は、糞便サンプルを均一に混合するプレ処理を行う。
統合ｐＨ、潜血、エクトイン、ステルコビリノーゲン、ビリルビン、及びアディポソーム、並びに、デンプン又はデキストリンを検知する試験紙、及びテスト試薬を含まない空白試験紙のフィルムは、糞便サンプル検知分析装置７ロボットアーム７４に挟持され、サンプル容器６１の糞便サンプル中に１０〜１５秒浸され、取り出し、スペクトラルスキャンアナライザー７３の検知槽に送られスキャン検知を行う。
スキャン結果を、スマートターミナル５或いはサーバーエンドに伝送する。
試験紙フィルムを取り出し、廃棄物バケツ７６に送り入れる。
糞便サンプル採集装置４、糞便検体プレ処理装置６のサンプル容器６２、スペクトラルスキャンアナライザー７３の検知槽を洗浄する。
サーバーはデータを処理し、分析判読を行い、健康指導を提出し、或いは専門の医療保健機関と共用する。
【００４０】
機能案例ＩＩＩ
排便行為モニター＋糞便検査。
潜血検知は、機能案例ＩＩの化学法を選択し、潜血検知の免疫法をプラスする。
排便行為モニターは、機能案例Ｉに同様である。
糞便取樣、プレ処理、データ処理は、機能案例Ｉに同様である。
統合化テスト試験紙フィルム７２Ａは、機能案例ＩＩの基礎の上に、コロイド金免疫法検知潜血の試剤区域をプラスする。
区域試験紙薄膜は、コロイド金標記の抗ヒトヘモグロビンモノクローナル抗体を吸着し、試験紙フィルムをサンプル容器の糞便に浸し、スペクトラルスキャンアナライザー７３の検知槽に伝送し、スキャン検知を行う。
スキャン結果は、スマートターミナル５或いはサーバーエンドに伝送される。
この方案は、２種の方法を採用し糞便潜血を検知する。
糞便潜血化学法検査は、敏感度が低く、食物由来の赤血球成分を区別できず、薬物の影響を回避できない。
免疫法は、糞便潜血検知の特異性がよく、食物由来の赤血球成分と薬物の影響を排除でき、敏感度が高いが、糞便潜血の含有量が多すぎる時には仮陰性を示し、判読を誤らせる恐れがある。
２種の糞便潜血検知方法を結合することで、より合理的な判断結果が得られる。
【００４１】
前述した本発明の実施形態は本発明を限定するものではなく、よって、本発明により保護される範囲は後述される特許請求の範囲を基準とする。
【符号の説明】
【００４２】
１  便器、
１１  便器本体、
１３  貯水槽、
２  便器蓋、
２１  フリップ式便蓋、
２２  フリップ式便座、
２３  スマートコンソール、
３  昇降装置、
３１  トレー、
３２  伸縮機構、
３３  電子計量計、
４  糞便サンプル採集装置、
４１  連接アーム、
４２  中空半円形管、
５  スマートターミナル、
６  糞便検体プレ処理装置、
６１  サンプル容器、
６２  撹拌器、
６３  注水管、
７  糞便サンプル検知分析装置、
７２  統合化テスト試験紙フィルム、
７２Ａ  統合化テスト試験紙フィルム、
７３  スペクトラルスキャンアナライザー、
７４  ロボットアーム、
７５  試験紙フィルム保存バケツ、
７６  廃棄物バケツ、
８  照明撮影装置、
９  糞便サンプル自動清掃装置、
９１  洗浄盤、
９２  洗浄撹拌機構。
【図１】
0006619886.tif 000002
【図２】
0006619886.tif 000003
【図３】
0006619886.tif 000004
【図４】
0006619886.tif 000005
【図５】
0006619886.tif 000006
【図６】
0006619886.tif 000007